(57)【要約】【課題】スキミングを防止し、カードあるいは携帯電話に内蔵されたＩＣチップの情報を有効に保護できる、スキミング防止用収納体を提供する。【解決手段】鞄などの収納具の内部に入れて用いるためのインナーバッグであって、カードＣあるいは携帯電話Ｍを収納可能な本体部１を有し、本体部１は、周面部１１〜１３及び携帯電話の出し入れ用の開口部１ａを有し、上記の周面部１１〜１３には、スキミング行為時の電磁波を遮断できる素材からなる遮断層部Ｙが備えられている。【選択図】図２
0003124642.tif 000002
【実用新案登録請求の範囲】
【請求項１】
ＩＣチップを内蔵したカード（Ｃ）あるいは携帯電話（Ｍ）を収納可能な本体部（１）を有し、
本体部（１）は、周面部（１１〜１３）及びカード（Ｃ）あるいは携帯電話（Ｍ）の出し入れ用の開口部（１ａ）を有し、
上記の周面部（１１〜１３）には、スキミング行為時の電磁波を遮断できる素材からなる遮断層部（Ｙ）が備えられたことを特徴とする、スキミング防止用収納体。
【請求項２】
上記のスキミング防止用収納体が、鞄などの収納具の内部に入れるインナーバッグとされており、
面ファスナー（１５）のうちの一方側脱着部材（１５ａ）が、上記周面部（１１〜１３）の一部に取り付けられており、
面ファスナー（１５）のうちの他方側脱着部材（１５ｂ）が、裏面に剥離紙（１５ｃ）で覆われた粘着層を有しており、
この他方側脱着部材（１５ｂ）を、剥離紙（１５ｃ）を除去して粘着層を露出させた状態で鞄などの収納具の内面に取り付けることにより、上記の内面にバッグを固定可能としたことを特徴とする、請求項１に記載のスキミング防止用収納体。
【請求項３】
上記の本体部（１）における、前面部（１１）及び後面部（１２）を折り曲げることにより、開口部（１ａ）が閉鎖可能とされたことを特徴とする、請求項２に記載のスキミング防止用収納体。
【請求項４】
収納状態にあるカード（Ｃ）あるいは携帯電話（Ｍ）の一部を露出可能とする小窓（１６）が上記周面部（１１〜１３）に設けられたことを特徴とする、請求項１〜３のいずれかに記載のスキミング防止用収納体。
【請求項５】
上記のスキミング防止用収納体が、鞄などの収納具（Ｂ）の一部に設けられたポケットとされており、
上記の周面部（１１，１２）のうち、少なくとも収納具（Ｂ）の外部寄りに存在するものに、スキミング行為時の電磁波を遮断できる素材からなる遮断層部（Ｙ）が備えられたことを特徴とする、請求項１に記載のスキミング防止用収納体。
【請求項６】
上記のスキミング防止用収納体が、表地（５１）と裏地（５２）とを有する衣服用のポケット（５）とされており、
上記の表地（５１）と裏地（５２）とのうち、少なくとも衣服の外部寄りに存在するものに、スキミング行為時の電磁波を遮断できる素材からなる遮断層部（Ｙ）が備えられたことを特徴とする、スキミング防止用収納体。
【考案の詳細な説明】
【技術分野】
【０００１】
本願考案は、ＩＣチップを内蔵したカードあるいは携帯電話のスキミング防止用収納体に関するものである。
【背景技術】
【０００２】
現在、ＩＣチップを内蔵したカードあるいは携帯電話が存在しており、このカードあるいは携帯電話を店舗などに備えられたカードリーダーにかざすだけで支払いの決済をできるシステムが普及しつつある。
【０００３】
しかしながら、スキミングという手法により、このカードあるいは携帯電話に内蔵されたＩＣチップの決済残高などに関する情報が不正に読み取られて悪用されることが懸念されている。これは、カードリーダーと同様に、ＩＣチップに向けて電磁波を発することによってなされる。
【考案の開示】
【考案が解決しようとする課題】
【０００４】
ここで問題になるのは、例えば鞄などの収納具の内部にカードあるいは携帯電話を入れた状態であり、外部に全く露出していない状態であっても、収納具越しに電磁波を透過させてスキミングされる恐れがあることである。この場合、被害者に全く自覚がないままスキミングがなされるため、被害がより拡大してしまう可能性がある。
【０００５】
本願考案は上記のことに鑑み、スキミングを防止し、カードあるいは携帯電話に内蔵されたＩＣチップの情報を有効に保護できる、スキミング防止用収納体を提供することを課題とする。
【課題を解決するための手段】
【０００６】
上記課題を解決するために、本願の請求項１に記載の考案は、ＩＣチップを内蔵したカードＣあるいは携帯電話Ｍを収納可能な本体部１を有し、本体部１は、周面部１１〜１３及びカードＣあるいは携帯電話Ｍの出し入れ用の開口部１ａを有し、上記の周面部１１〜１３には、スキミング行為時の電磁波を遮断できる素材からなる遮断層部Ｙが備えられたことを特徴とする、スキミング防止用収納体を提供する。
【０００７】
また、本願の請求項２に記載の考案は、上記のスキミング防止用収納体が、鞄などの収納具の内部に入れるインナーバッグとされており、面ファスナー１５のうちの一方側脱着部材１５ａが、上記周面部１１〜１３の一部に取り付けられており、面ファスナー１５のうちの他方側脱着部材１５ｂが、裏面に剥離紙１５ｃで覆われた粘着層を有しており、この他方側脱着部材１５ｂを、剥離紙１５ｃを除去して粘着層を露出させた状態で鞄などの収納具の内面に取り付けることにより、上記の内面にバッグを固定可能としたことを特徴とする、請求項１に記載のスキミング防止用収納体を提供する。
【０００８】
また、本願の請求項３に記載の考案は、上記の本体部１における、前面部１１及び後面部１２を折り曲げることにより、開口部１ａが閉鎖可能とされたことを特徴とする、請求項２に記載のスキミング防止用収納体を提供する。
【０００９】
また、本願の請求項４に記載の考案は、収納状態にあるカードＣあるいは携帯電話Ｍの一部を露出可能とする小窓１６が上記周面部１１〜１３に設けられたことを特徴とする、請求項１〜３のいずれかに記載のスキミング防止用収納体を提供する。
【００１０】
また、本願の請求項５に記載の考案は、上記のスキミング防止用収納体が、鞄などの収納具Ｂの一部に設けられたポケットとされており、上記の周面部１１，１２のうち、少なくとも収納具Ｂの外部寄りに存在するものに、スキミング行為時の電磁波を遮断できる素材からなる遮断層部Ｙが備えられたことを特徴とする、請求項１に記載のスキミング防止用収納体を提供する。
【００１１】
また、本願の請求項６に記載の考案は、上記のスキミング防止用収納体が、表地５１と裏地５２とを有する衣服用のポケット５とされており、上記の表地５１と裏地５２とのうち、少なくとも衣服の外部寄りに存在するものに、スキミング行為時の電磁波を遮断できる素材からなる遮断層部Ｙが備えられたことを特徴とする、スキミング防止用収納体を提供する。
【考案の効果】
【００１２】
本願の請求項１に記載の考案は、周面部１１〜１３にスキミング行為時の電磁波を遮断できる素材からなる遮断層部Ｙが備えられたことから、本体部１にカードＣあるいは携帯電話Ｍを収納した状態でスキミング行為時の電磁波を有効に遮断でき、カードＣあるいは携帯電話Ｍ内部のＩＣチップの情報が不正に読み取られてしまうことがなく、ＩＣチップの情報を有効に保護できる、スキミング防止用収納体を提供することができたものである。
【００１３】
また、本願の請求項２に記載の考案は、上記の効果に加え、面ファスナー１５を用いたことにより、収納具内の決まった位置にバッグを固定可能とできたものであり、カードＣあるいは携帯電話Ｍを容易に取り出すことができる、スキミング防止用収納体を提供することができたものである。
【００１４】
また、本願の請求項３に記載の考案は、請求項２に記載の考案の効果に加え、前面部１１及び後面部１２を折り曲げることにより、開口部１ａが閉鎖可能とされたことから、開口部１ａを容易に閉鎖でき、開口部１ａからスキミング行為時の電磁波が入り込むこともない、スキミング防止用収納体を提供することができたものである。
【００１５】
また、本願の請求項４に記載の考案は、請求項１〜３のいずれかに記載の考案の効果に加え、カードＣあるいは携帯電話Ｍの一部を露出可能とする小窓１６が設けられたことから、例えば携帯電話Ｍを収納した場合、操作に必要な部分のみを最小限露出させることが可能であり、収納したままで操作可能とできたものである。
【００１６】
また、本願の請求項５に記載の考案は、請求項１に記載の考案の効果に加え、上記のスキミング防止用収納体が、鞄などの収納具Ｂの一部に設けられたポケットとされており、上記の周面部１１，１２のうち、少なくとも収納具Ｂの外部寄りに存在するものに、スキミング行為時の電磁波を遮断できる素材からなる遮断層部Ｙが備えられたことから、カードＣあるいは携帯電話Ｍをこのポケットに収納した状態でスキミング行為時の電磁波を有効に遮断でき、カードＣあるいは携帯電話Ｍ内部のＩＣチップの情報が不正に読み取られてしまうことがなく、ＩＣチップの情報を有効に保護できるものとできたものである。
【００１７】
また、本願の請求項６に記載の考案は、表地５１と裏地５２とのうち、少なくとも衣服の外部寄りに存在するものに、スキミング行為時の電磁波を遮断できる素材からなる遮断層部Ｙが備えられたことから、本体部１にカードＣあるいは携帯電話Ｍを収納した状態でスキミング行為時の電磁波を有効に遮断でき、カードＣあるいは携帯電話Ｍ内部のＩＣチップの情報が不正に読み取られてしまうことがなく、ＩＣチップの情報を有効に保護できる、スキミング防止用収納体を提供することができたものである。
【考案を実施するための最良の形態】
【００１８】
以下、図面に基づき本願考案に係るスキミング防止用収納体の一実施例をとりあげて説明する。図１はバッグとしての実施例を示す平面図、図２は図１のＡ−Ａ矢視端面図、図３はこのバッグの使用方法の一例を示す平面図、図４は収納具に取り付けられたポケットとしての実施例を示す説明図、図５は衣服用のポケットとしての実施例を示す説明図である。
【００１９】
まず、本願考案のバッグとしての実施例を示す。これは、主に鞄などの収納具の内部に入れて用いることを目的としたインナーバッグとして使用されるものである。ただし、図１に示すように持手２が設けられているため、場合によっては、これを単独の手提げ袋として用いることも可能とされている。なお、本願考案はインナーバッグに限られるものではなく、種々の使用方法をとることが可能である。例えば、持手２を他のバッグの持手に引掛けることができるものとしておき、他のバッグの外部に露出させて使用するものであっても良いし、長い持手２を設けておき、肩掛けバッグとして使用しても良い。
【００２０】
本例のインナーバッグは、図１に示したような形態を有している。カードＣあるいは携帯電話Ｍを収納可能な本体部１を有し、この本体部１は周面部を有する。この周面部は、本例では前面部１１、後面部１２、底面部１３からなる。なお、本例のインナーバッグは、側部において前面部１１と後面部１２とが直接縫い合わされているが、側面に襠を設けたものとしても良い。また、襠状の底面部１３を設けずに、底部において前面部１１と後面部１２とが直接縫い合わされたものであっても良い。この周面部の表面には種々の装飾を施すことができる。
【００２１】
本例では取り扱いの便宜のために、前面部１１と後面部１２の各側方に帯状体が輪状に縫い付けられ、持手２とされている。持手２については設けなくても良いし、他の形状で実施しても良い。例えば、持手２としてシルバーチェーンなどを用い、フックなどにより中間部分を開放できるようにしておき、他のバッグの持手に引掛けられるようにして良い。また、この持手２には、誕生石などの装飾品を着脱可能なものとしても良い。
【００２２】
図１における上部には開口部１ａが設けられており、この開口部１ａを通してカードＣあるいは携帯電話Ｍの出し入れが可能である。なお、上記の出し入れに当たり、カードＣは裸の状態のままであっても良いし、カードケースや財布に収納した状態であっても良い。本例では、この開口部１ａにおける、前面部１１と後面部１２の各内面に、図２に示すように面ファスナー１４が設けられており、この面ファスナー１４を密着させることで、開口部１ａを、カードＣあるいは携帯電話Ｍがインナーバッグから脱出してしまわない程度に閉鎖できるものとされている。開口部１ａには、その他ジッパーなどの閉鎖手段を設けても良いし、逆に何も設けないものであっても良い。
【００２３】
この開口部１ａの閉鎖については、図３に示すように、前面部１１及び後面部１２を折り曲げることによりなしても良い。また、この折り曲げられた状態を維持するために、前面部１１あるいは後面部１２の表面に面ファスナーやホックなどを設けても良い。このように折り曲げによる開口部１ａの閉鎖がなされることにより、開口部１ａを容易に閉鎖でき、開口部１ａからもスキミング行為時の電磁波が入り込むことのないものとできる。
【００２４】
本例の周面部は、図２に示すように、布などの柔軟なシート状素材からなる表層部Ｘと、その内側に重ねられた遮断層部Ｙとを有する。この遮断層部Ｙは、スキミング行為時の電磁波を遮断できる素材からなるものとされており、本例では炭素繊維や金属を混ぜ込んだ繊維など、導電性繊維を用いた布地が用いられている。なお、この遮断層部Ｙは、導電性を有するシート状体であれば良く、例えば金属箔を用いたものであっても良い。
【００２５】
また本例では、図２に示したように、周面部が２層からなり、外側が表層部Ｘ、内側が遮断層部Ｙとされているが、３層以上のものとし、いずれかの層を遮断層部Ｙとしたものであっても良い。また、遮断層部Ｙの１層のみからなるものとしても良い。
【００２６】
このように遮断層部Ｙが設けられたことにより、本体部１にカードＣあるいは携帯電話Ｍを収納すると、カードＣあるいは携帯電話Ｍは遮断層部Ｙに囲まれたものとでき、スキミング行為時の電磁波を有効に遮断でき、内部のＩＣチップの情報が不正に読み取られてしまうことがない。
【００２７】
本例においては、図１に示すように、面ファスナー１５のうちの一方側脱着部材であるループ側部材１５ａが、前面部１１の表面に取り付けられている。そして、本例のインナーバッグの販売時においては、このループ側部材１５ａに、他方側脱着部材であるフック側部材１５ｂが貼り付けられた状態とされる。このフック側部材１５ｂは、裏面に剥離紙１５ｃで覆われた粘着層を有しており、購入者がこのフック側部材１５ｂを、剥離紙１５ｃを除去して粘着層を露出させた状態で鞄などの収納具の内面に取り付けることにより、収納具内の決まった位置に面ファスナー１５を用いてインナーバッグを固定可能とできる。これにより、カードＣあるいは携帯電話Ｍが収納具の内部で他の荷物に紛れ込んでしまうことがなく、容易に取り出すことができる。
【００２８】
また、図１に示すように、収納状態にあるカードＣあるいは携帯電話Ｍの一部を露出可能とする小窓１６が周面部に設けられたものであっても良い。これにより、特に携帯電話Ｍの場合では、操作ボタン部、液晶画面部、カメラレンズ部などの携帯電話Ｍの操作に必要な部分を最小限露出させることが可能であり、携帯電話Ｍを収納したままでも操作可能とできる。この小窓１６には透明のシート状体や開閉できる蓋が取り付けられたものであっても良いし、空間のままであっても良い。
【００２９】
次に、本願考案の、収納具に取り付けられたポケットとしての実施例を示す。これは、上記のように独立したバッグとして実施するのではなく、鞄などの収納具Ｂの一部に設けられたポケットとして実施するものである。
【００３０】
具体的には、図４に示すように、上記の本体部１がバッグＢの外側表面に設けられたポケットとされている。つまり、上記周面部のうちの前面部１１がポケットの前布とされ、同後面部１２がバッグＢの表面を構成する素材とされる。なお、図４に示したものとは逆に、バッグＢの内側に設けたポケットとして実施することももちろん可能である。
【００３１】
そして周面部１１，１２のうち、少なくとも収納具Ｂの外部寄りに存在するものに、スキミング行為時の電磁波を遮断できる素材からなる遮断層部Ｙが備えられている。この例では、ポケットの前布である前面部１１に遮断層部Ｙが備えられたものとされている。
【００３２】
これにより、破線で図示したようにしてバッグＢのポケットにカードＣあるいは携帯電話Ｍを収納すると、上記の遮断層部Ｙによって外部から遮蔽できるため、スキミング行為時の電磁波を有効に遮断でき、内部のＩＣチップの情報が不正に読み取られてしまうことがない。
【００３３】
次に、本願考案の衣服用のポケットとしての実施例を示す。これも上記と同様に、独立したバッグとして実施するのではなく、衣服に設けられたポケットとして実施するものである。
【００３４】
具体的には、図５に示すように、表地５１と裏地５２とを有する衣服用のポケット５であり、上記の表地と裏地とのうち、少なくとも衣服の外部寄りに存在するもの、この例では表地５１に、上記と同様にして、スキミング行為時の電磁波を遮断できる素材からなる遮断層部Ｙが備えられたものである。
【００３５】
これにより、ポケット５にカードＣあるいは携帯電話Ｍを収納すると、上記の遮断層部Ｙによって外部から遮蔽できるため、スキミング行為時の電磁波を有効に遮断でき、内部のＩＣチップの情報が不正に読み取られてしまうことがない。
【図面の簡単な説明】
【００３６】
【図１】バッグとしての実施例を示す平面図である。
【図２】図１のＡ−Ａ矢視端面図である。
【図３】バッグの使用方法の一例を示す平面図である。
【図４】収納具に取り付けられたポケットとしての実施例を示す説明図である。
【図５】衣服用のポケットとしての実施例を示す説明図である。
【符号の説明】
【００３７】
１      本体部
１ａ    開口部
１１    周面部（前面部）
１２    周面部（後面部）
１３    周面部（底面部）
１５    面ファスナー
１５ａ  一方側脱着部材、ループ側部材
１５ｂ  他方側脱着部材、フック側部材
１５ｃ  剥離紙
１６    小窓
５      衣服用のポケット
５１    表地
５２    裏地
Ｃ      ＩＣチップを内蔵したカード
Ｍ      ＩＣチップを内蔵した携帯電話
Ｙ      遮断層部
【図１】
0003124642.tif 000003
【図２】
0003124642.tif 000004
【図３】
0003124642.tif 000005
【図４】
0003124642.tif 000006
【図５】
0003124642.tif 000007